(57)【特許請求の範囲】
【請求項１】
表示データを生成するためのグラフィックスシステムと、
前記表示データに基づいてマトリクスアドレス指定方式ディスプレイシステムのユーザに視覚情報を表示するためのディスプレイモジュールと、
前記ディスプレイモジュールによる表示誤りの検出および訂正のための表示障害処理システムとを備え、
前記グラフィックスシステムはデータ出力を有し、
前記ディスプレイモジュールはデータ入力を有し、
前記表示データは、グラフィックスシステムによって前記ディスプレイモジュールに、前記データ出力から前記データ入力に供給され、
前記ディスプレイモジュールは前記視覚情報を表示するための表示要素のマトリクスアドレス指定方式電気光学配列を有し、
前記表示要素は、行と列に配置されており、前記表示要素の各々を選択的に作動させるための対応する行回路線および列回路線を有し、
前記表示障害処理システムは、表示誤りの検出のための表示誤り検出手段と、前記表示誤りの前記訂正のための表示誤り訂正手段とを備え、
前記表示誤り訂正手段は、第１の接続によって前記ディスプレイモジュールに接続し、前記グラフィックスシステムに第２の接続によって接続している、マトリクスアドレス指定方式ディスプレイシステムであって、
−  前記表示誤り検出手段は、複数の前記行回路線又は列回路線に接続され、使用時に、ある期間にわたって接続された前記行回路線又は列回路線の各々の少なくとも１つの電気的パラメータを監視するために、およびそこから表示誤りが１つもしくは複数の前記作動された表示要素で生じているか否かを判定するために配置され、
−  前記表示誤り訂正手段は、メモリと処理手段を含み、前記処理手段は、前記表示誤り検出手段に接続され、使用時に、前記期間にわたって前記検出された表示誤りに関連しているデータを受信し、前記メモリに記憶し、
−  前記処理手段は、使用時に、前記データに応答して、前記検出された表示誤りを訂正する最初の試みにおいて、前記ディスプレイモジュールのオペレーションをリセットするために、前記第１の接続上に少なくとも１つのリセットコマンドを送信し、前記最初の試みが失敗したならば、前記検出された表示誤りを訂正する後続の試みにおいて、前記グラフィックスシステムのオペレーションをリセットするために、第２の接続上に少なくとも１つのリセットコマンドを送信する、
ことを特徴とするマトリクスアドレス指定方式ディスプレイシステム。
【請求項２】
前記ディスプレイモジュールは、少なくとも１つの電源によって作動され、前記最初のリセットコマンドは、前記ディスプレイモジュールによって受信された場合に、前記少なくとも１つの電源から前記ディスプレイモジュールへの電力の供給又は非供給のために作用することを特徴とする請求項１に記載のマトリクスアドレス指定方式ディスプレイシステム。
【請求項３】
前記ディスプレイモジュールは信号プロセッサを含み、前記最初のリセットコマンドは、前記ディスプレイモジュールによって受信された場合に、前記信号プロセッサをリセットするために作用することを特徴とする請求項１に記載のマトリクスアドレス指定方式ディスプレイシステム。
【請求項４】
前記ディスプレイモジュールはタイミング制御装置を含み、前記最初のリセットコマンドは、前記ディスプレイモジュールによって受信された場合に、前記タイミング制御装置をリセットするために作用することを特徴とする請求項１に記載のマトリクスアドレス指定方式ディスプレイシステム。
【請求項５】
前記表示障害処理システムは、使用時に、検出された表示障害の数に関連した誤り件数を保持し、前記件数を上限閾値と比較し、前記件数が上限閾値未満である場合に、前記最初のリセットコマンドを前記ディスプレイモジュールに送信することを特徴とする請求項１〜４の何れか一項に記載のマトリクスアドレス指定方式ディスプレイシステム。
【請求項６】
前記表示障害処理システムは、使用時に、検出された表示障害の数に関連した誤り件数を保持し、前記件数を上限閾値と比較し、前記件数が上限閾値未満である場合に、前記後続のリセットコマンドを前記グラフィックスシステムに送信することを特徴とする請求項１〜５の何れか一項に記載のマトリクスアドレス指定方式ディスプレイシステム。
【請求項７】
前記グラフィックスシステムが少なくとも１つの電源によって作動され、前記後続のリセットコマンドは、前記グラフィックスシステムによって受信された場合に、前記少なくとも１つの電源から前記グラフィックスシステムへの電力の供給又は非供給のために作用することを特徴とする請求項１〜６の何れか一項に記載のマトリクスアドレス指定方式ディスプレイシステム。
【請求項８】
前記表示障害処理システムは、データ入力を有し、前記グラフィックスシステムの前記データ出力は、前記表示障害処理システムの前記データ入力に接続され、前記表示データは、前記グラフィックスシステムによって前記表示障害処理システムに供給され、前記表示障害処理システムは、前記表示データを表示誤りが生じたか否かの前記判定における前記少なくとも１つの電気的パラメータとともに用いるために配置されることを特徴とする請求項１〜７の何れか一項に記載のマトリクスアドレス指定方式ディスプレイシステム。
【請求項９】
前記表示データは、表示同期信号を含み、前記表示同期信号は、表示誤りが生じたか否かの判定における前記表示障害処理システムによって用いられることを特徴とする請求項１〜８の何れか一項に記載のマトリクスアドレス指定方式ディスプレイシステム。
【請求項１０】
−  前記表示データは、表示同期信号を含み、前記ディスプレイモジュールは、前記表示要素に組み込まれたフィードバック回路要素を含み、前記表示同期信号は、前記表示同期信号と同期された周期的なフィードバック信号を生成するために、前記フィードバック回路要素によって用いられ、
−  前記表示障害処理システムは、データ入力を有しており、前記グラフィックスシステムの前記データ出力は、前記表示障害処理システムの前記データ入力に接続され、前記表示データは、前記グラフィックスシステムによって前記表示障害処理システムに供給され、前記表示障害処理システムは、表示誤りが生じたか否かの前記判定において前記表示データの前記表示同期信号を、前記少なくとも１つの電気的パラメータとともに用いるために配置されること
を特徴とする請求項１〜８の何れか一項に記載のマトリクスアドレス指定方式ディスプレイシステム。
【請求項１１】
−  請求項１〜１０の何れか一項に記載のマトリクスアドレス指定方式ディスプレイシステムと、
−  自動車両を作動／非作動にするための車両電力のオン／オフ制御とを備え、
前記表示障害処理システムは、前記自動車両の作動に続いて初回に発生した表示誤りに対してのみ応答して、前記最初のリセットコマンドまたは前記後続のリセットコマンドを送信すること
を特徴とする自動車両。
【請求項１２】
前記表示障害処理システムは、使用時に、前記自動車両が作動された場合に検出された表示障害の数に関連した誤り件数を保持し、前記件数は、前記自動車両の後続の作動に続いて使用するために前記自動車両が非作動にされた後に保存され、前記表示障害処理システムは、使用時に、検出された表示障害が車両の作動と非作動との間に存在しない場合はいつも、前記件数をゼロに減じること
を特徴とする請求項１１に記載の自動車両。
【請求項１３】
前記表示障害処理システムは、使用時に、前記誤り件数が上限閾値未満である場合にのみ応答して前記最初のリセットコマンドを送信し、前記件数が前記上限閾値未満であれば、前記最初のリセットコマンドが、前記ディスプレイモジュールに送信されること
を特徴とする請求項１２に記載の自動車両。
【請求項１４】
前記表示障害処理システムは、使用時に、前記誤り件数が上限閾値未満である場合にのみ応答して前記後続のリセットコマンドを送信し、前記件数が前記上限閾値未満であれば、前記後続のリセットコマンドが、前記グラフィックスシステムに送信されること
を特徴とする請求項１２又は１３に記載の自動車両。
【請求項１５】
マトリクスアドレス指定方式ディスプレイシステム内のディスプレイモジュールの表示誤りを検出および訂正する方法であって、前記マトリクスアドレス指定方式ディスプレイシステムは、グラフィックスシステムと、ディスプレイモジュールと、メモリを含む表示障害処理システムとを備え、前記ディスプレイモジュールは、表示要素のマトリクスアドレス指定方式電気光学配列を有し、前記表示要素は、行と列とに配置されており、対応する行回路線と列回路線とを有しており、前記方法は、
−  表示データを生成するために前記グラフィックスシステムを用いるステップと、
−  前記グラフィックスシステムから前記ディスプレイモジュールに前記表示データを送信するステップと、
−  表示要素の各々を選択的に作動させるために、前記行回路線および前記列回路線を用い、それによって前記表示データに基づいて前記マトリクスアドレス指定方式ディスプレイシステムのユーザに視覚情報を表示するステップと、
−  前記表示障害処理システムを用いて、
ｉ）ある期間にわたって複数の前記行回路線又は列回路線の少なくとも１つの電気的パラメータを監視し、
ｉｉ）１つもしくは複数の前記作動された表示要素で表示誤りが生じたか否かを前記監視されたパラメータから判定し、
ｉｉｉ）前記期間の第１の部分にわたって、少なくとも１つの検出された誤りに関連するデータをメモリに記憶し、
ｉｖ）第１の判断において、記憶された前記データを用い、前記検出された表示誤りを訂正するための第１の試みにおいて、前記ディスプレイモジュールのオペレーションをリセットするために、第１の接続上に最初のリセットコマンドを送信し、
ｖ）前記第１の部分に続き、所定時間待機後、前記期間の第２の部分にわたって、少なくとも１つの検出された誤りに関連する更なるデータをメモリに記憶し、かつ、
ｖｉ）前記第１の試みが失敗の場合に、第２の判断において、記憶された前記更なるデータを用い、前記検出された表示誤りを訂正するための第２の試みにおいて、前記グラフィックスシステムのオペレーションをリセットするために、第２の接続上に後続のリセットコマンドを送信するステップと
を含むことを特徴とする方法。
【請求項１６】
前記データは、少なくとも１つの作動された表示要素における複数の永続的な検出された誤りに関連し、前記第１の判断は、永続的な表示誤りが存在するか否かに関する判定を含み、前記第２の判断は、永続的な表示誤りが存在するか否かに関する判定を含むこと
を特徴とする請求項１５に記載の方法。
【請求項１７】
前記期間の前記第１の部分にわたって複数の検出された誤りに関連するデータは、前記第１の判断において用いられることを特徴とする請求項１５又は１６に記載の方法。
【請求項１８】
前記期間の前記第２の部分にわたって複数の検出された誤りに関連するデータは、前記第２の判断において用いられることを特徴とする請求項１５〜１７の何れか一項に記載の方法。
【請求項１９】
前記表示データは、表示同期信号を含み、前記表示障害処理システムは、前記表示同期信号をグラフィックスシステムから受信し、表示誤りが生じているか否か判定において前記表示同期信号を用いることを特徴とする請求項１５〜１８の何れか一項に記載の方法。
【請求項２０】
前記最初のリセットコマンドは、前記ディスプレイモジュールによって受信された場合に、前記ディスプレイモジュールの電力の供給又は非供給のために作用することを特徴とする請求項１５〜１９の何れか一項に記載の方法。
【請求項２１】
前記後続のリセットコマンドは、前記ディスプレイモジュールによって受信された場合に、前記グラフィックスシステムの電力の供給又は非供給のために作用することを特徴とする請求項１５〜２０の何れか一項に記載の方法。
【発明の詳細な説明】
【技術分野】
【０００１】
本発明は、マトリクスアドレス指定方式ディスプレイシステムにおける表示誤りの監視および訂正に関する。
【背景技術】
【０００２】
マトリクスアドレス指定方式ディスプレイシステムは、多くの用途で、特に自動車のディスプレイシステムの分野で、ますます一般的になっている。自動車のマトリクスアドレス指定方式ディスプレイが広範囲の車両オペレーティングパラメータを表示することにますます用いられるようになるにつれて、ドライバに提供される情報の中断を最小限に抑えながら、いかなる表示誤りも速やかに検出し、かつ可能であれば訂正することがより重要になる。しかしながら、誤りの源がホストコンピュータシステム、電源機構を含むディスプレイまたはディスプレイモジュール自体のためのグラフィックスシステム、ディスプレイドライバエレクトロニクス、および表示エリアの電気光学のコンポーネントを含むディスプレイハードウェアのいくつかの層のいずれかにも存在しているかもしれないので、ディスプレイシステムの増加する高度の知識は、これを達成することをより困難にする。
【発明の概要】
【発明が解決しようとする課題】
【０００３】
したがって、マトリクスアドレス指定方式ディスプレイシステムにおける表示誤りの監視および訂正のための、より便利でかつより効率的なシステムを提供することが本発明の目的である。
【課題を解決するための手段】
【０００４】
本発明の第１の態様によれば、表示データを生成するためのグラフィックスシステムと、前記表示データに基づいてシステムのユーザに視覚情報を表示するためのディスプレイモジュールと、ディスプレイモジュールによる表示誤りの検出および訂正のための表示障害処理システムとを備え、グラフィックスシステムはデータ出力を有し、ディスプレイモジュールはデータ入力を有し、前記表示データはグラフィックスシステムによってディスプレイモジュールに、データ出力からデータ入力に供給され、ディスプレイモジュールは前記視覚情報を表示するための表示要素のマトリクスアドレス指定方式電気光学配列を有し、表示要素は列と行に配置されており、前記表示要素の各々を選択的に作動させるための対応する行回路線および列回路線を有し、前記表示障害処理システムは、表示誤りの検出のための表示誤り検出手段と、前記表示誤りの訂正のための表示誤り訂正手段とを備え、表示誤り訂正手段は、第１の接続によってディスプレイモジュールに接続し、グラフィックスシステムに第２の接続によって接続しており、
−  表示誤り検出手段は、複数の前記回路線に接続され、使用時に、一定期間にわたって前記接続された回路線の各々の少なくとも１つの電気的パラメータを監視するために、およびそこから表示誤りが１つもしくは複数の前記作動された表示要素で生じているか否かを判定するために配置され、
−  表示誤り訂正手段は、メモリと処理手段を含み、処理手段は、表示誤り検出手段に接続され、使用時に、前記期間にわたって前記検出された表示誤りに関連しているデータを受信し、前記メモリに記憶し、
−  この処理手段は、使用時に、前記データに応答して、前記検出された表示誤りを訂正する最初の試みにおいて、ディスプレイモジュールのオペレーションをリセットするために、第１の接続上に少なくとも１つのリセットコマンドを送信し、最初の試みが失敗したならば、前記検出された表示誤りを訂正する後続の試みにおいて、グラフィックスシステムのオペレーションをリセットするために、第２の接続上に少なくとも１つのリセットコマンドを送信する
ことを特徴とするマトリクスアドレス指定方式ディスプレイシステムが提供される。
【０００５】
本発明の好適な実施形態において、グラフィックスシステムは、データ出力を供給するグラフィックスユニットと、グラフィックスユニットのオペレーションを制御するグラフィックス制御システムとを備え、グラフィックスユニットは表示されるべき情報を表わすデータ信号を提供する。次いで、グラフィックスシステムのオペレーションは、グラフィックスユニットをリセットすることにより、または、グラフィックス制御システムのオペレーションをリセットすることにより、または、グラフィックスユニットおよびグラフィックス制御システムの両方をリセットすることにより、リセットされ得る。
【０００６】
グラフィックスコントロールシステムは、画面表示データを生成するアプリケーション（例えば、衛星航法装置）によって提供されてもよいし、より全般的なホストシステム（例えば、マイクロプロセッサ内で実行しているオペレーティングシステム）の一部であってもよい。
【０００７】
本発明の特有の有利性は、ディスプレイモジュールは、通常、グラフィックスシステムと比較して、典型的なディスプレイモジュールのより高い電気的かつソフトウェアの複雑性のために、グラフィックスシステムよりもリセットするための時間がかなり少なくすむということである。特に、後続のリセットコマンドがグラフィックスシステムのオペレーション（実際に達成するために多くの秒数を要する）をリセットするために送信される場合よりも最初のリセットコマンドがディスプレイモジュールのオペレーション（表示画面のわずかに知覚可能な閃光かもしれない）をリセットするために送信される場合のディスプレイ内のいかなる中断にもシステムのユーザが気づく可能性はそれほどありそうではないので、検出された表示誤りが、ディスプレイモジュールに関する問題またはグラフィックスシステムに関する問題のために、本発明は、表示障害に対処するより効率的でより便利な手段を供給する。
【０００８】
処理手段は、表示誤り検出手段から受信され、かつメモリから検索されたデータを処理するための任意の好適なデジタルおよび／またはアナログ回路であってもよい。これは、専用のマイクロプロセッサであってもよいし、またはディスプレイシステムオペレーションの他の態様をさらに制御するマイクロプロセッサ内で実行されてもよい。この処理手段は、また、表示誤り検出手段の機能を実行するために用いられてもよい。
【０００９】
第１の接続は、物理的または論理的接続（例えば、平行して多重信号を伝えるためのデータバス）のいずれかであってもよいし、またはシリアルデータを伝えるデータ線であってもよいし、最初のリセットコマンドを通信するためのいかなる他の種類の接続でもありえる。同様に、第２の接続は、物理的または論理的接続（例えば、平行して多重信号を伝えるためのデータバス）のいずれかであってもよいし、またはシリアルデータを伝えるデータ線であってもよいし、後続のリセットコマンドを通信するためのいかなる他の種類の接続でもありえる。
【００１０】
記憶データは、検出された誤りの型の情報を含んでもよい。その代わりにまたはその上に、記憶データは、ディスプレイシステム内の誤りの物理的位置に関連している情報を含んでもよい。
【００１１】
監視される電気的パラメータの型は、マトリクスディスプレイの型、およびアクティブマトリクスディスプレイドライバ回路と共に表示エリア上に組み込まれてもよい任意の誤り検出回路の性質に依存する。ディスプレイモジュールは、表示要素の作動に同期されて、一連の診断機能フィードバックパルスを供給してもよい。そして、評価されてもよい電気的パラメータの例は、パルス幅、パルスタイミング、または最大のパルス電圧を含む。そして、このような診断信号は、グラフィックスシステムから直接受信された表示同期信号と表示誤り検出手段によって比較することができる。
【００１２】
本発明の好適な実施形態において、ディスプレイモジュールは、少なくとも１つの電源（それは他のシステムのためにも用いられない少なくとも１つの専用電源であってもよい）によって作動され、ディスプレイモジュールによって受信された最初のリセットコマンドは、（各々の）電源からディスプレイモジュールに供給される電力を上げる／下げるために作用する。ディスプレイモジュールは、通常、パワーダウン／パワーアップするために、グラフィックスシステムより少ない時間ですむ。
【００１３】
グラフィックスシステムは、少なくとも１つの電源によって作動されてもよく、その場合には、グラフィックスシステムによって受信された後続のリセットコマンドは、（各々の）電源からグラフィックスシステムに供給される電力を上げる／下げるために作用する。しかしながら、リセット信号は、単純にグラフィックスシステムまたはディスプレイモジュールの電源を切りそして再開することよりむしろ、グラフィックスシステムまたはディスプレイモジュールの操作機能をリセットするために用いられる。
【００１４】
例えば、ディスプレイモジュールは、信号プロセッサ（signal processor）を含んでもよい。そして、ディスプレイモジュールによって受信された最初のリセットコマンドは、この信号プロセッサをリセットするために作用してもよい。
【００１５】
このディスプレイモジュールは、タイミング制御装置をさらに含んでもよい（すなわち、例えば、各回路線の順次アドレス指定とグラフィックスシステムから受信されたデータを同期させるために用いられてもよい）。この場合には、ディスプレイモジュールによって受信された最初のリセットコマンドは、タイミング制御装置をリセットするために作用する。このようなリセットは、非常に迅速にできる。
【００１６】
本発明の好適な実施形態において、表示障害処理システムは、使用時に、複数の検出された表示障害に関連した誤り件数を保持し、前記件数を上限閾値と比較し、前記件数が上限閾値未満である場合に、最初のリセットコマンドのみがディスプレイモジュールに送信される。
【００１７】
また、本発明の好適な実施形態において、表示障害処理システムは、使用時に、複数の検出された表示障害に関連した誤り件数を保持し、前記件数を上限閾値と比較し、前記件数が上限閾値未満である場合に、後続のリセットコマンドのみが前記グラフィックスシステムに送信される。
【００１８】
両方のケースにおいて、該件数が閾値を超えるならば、これが永続的な表示障害の表示でありえるので、上限閾値の使用は有用である。そのような場合、表示障害処理システムにより、それ以上の行動が表示誤りを消去することはほとんどありそうもない。したがって、ディスプレイモジュールまたはグラフィックスシステムをリセットする間にユーザに対して表示された情報に悪影響を及ぼす作用を講じないほうが、より優れているといえる。
【００１９】
表示障害処理システムは、このデータ入力に接続されているグラフィックスシステムのデータ出力とともに、データ入力を有していてもよい。そして、表示データは、表示障害処理システムが、表示誤りが生じているか否かの処理手段による判定において、監視された電気的パラメータと共に、この表示データを用いることができるように、グラフィックスシステムによって表示障害処理システムに供給されてもよい。
【００２０】
表示データは、好適には表示同期信号を含む。ディスプレイモジュールは、前記表示要素に組み込まれたフィードバック回路要素を含んでもよく、その場合には、同期信号は、表示同期信号と同期させる周期的なフィードバック信号を生成するために、フィードバック回路要素によって用いられてもよい。
【００２１】
本発明の第２の態様によれば、マトリクスアドレス指定方式ディスプレイシステム（前記システムは、本発明の第１の態様に従っている）と、
−  自動車両を作動／非作動にするための車両電力のオン／オフ制御とを備え、
表示障害処理システムは、使用時に、自動車両の作動に続いて表示誤りの第１の発生のためのみに前記最初のリセットコマンドまたは前記後続のリセットコマンドを送信するために応答すること
を特徴とする自動車両が提供される。
【００２２】
自動車両の表示障害処理システムは、好適には、車両が作動された場合に検出された表示障害の数に関連した誤り件数を保持する。そして、この件数は、自動車両の後続の作動に続いて使用するために車両が非作動にされた後に保存されてもよい。そして、検出された表示障害が車両作動と非活性化との１つの周期の間に存在しない場合は常に、表示障害処理システムは、この件数を０に減じる。
【００２３】
さらに、本発明によれば、マトリクスアドレス指定方式ディスプレイシステム内のディスプレイモジュールの表示誤りを検出および訂正する方法であって、前記システムは、グラフィックスシステムと、ディスプレイモジュールと、メモリを含む表示障害処理システムとを備え、ディスプレイモジュールは、表示要素のマトリクスアドレス指定方式電気光学配列を有し、表示要素は、行と列とに配置されており、対応する行回路線と列回路線とを有しており、
−  表示データを生成するためにグラフィックスシステムを用いるステップと、
−  グラフィックスシステムからディスプレイモジュールに表示データを送信するステップと、
−  表示要素の各々を選択的に作用させるために、行回路線および列回路線を用い、それによって前記表示データに基づいてグラフィックスシステムシステムのユーザに視覚情報を表示するステップと、
−  表示障害処理システムを
ｉ）一定期間にわたって複数の前記回路線の少なくとも１つの電気的パラメータを監視するために、
ｉｉ）１つもしくは複数の前記作動された表示要素で表示誤りが生じたか否かを前記監視されたパラメータから判定するために、
ｉｉｉ）前記期間の第１の部分にわたって少なくとも１つの検出された誤りに関連するメモリデータを格納するために、
ｉｖ）前記検出された表示誤りを訂正するための第１の試みで、第１の判断において前記格納データを用い、ディスプレイモジュールのオペレーションをリセットするために、第１の接続にわたって最初のリセットコマンドを送信するために、
ｖ）前記第１の部分に続く前記期間の第２の部分にわたって、少なくとも１つの検出された誤りに関連する更なるデータをメモリに格納するために、
ｖｉ）前記第１の試みが失敗の場合に、前記検出された表示誤りを訂正するための第２の試みで、第２の判断において格納データを用い、グラフィックスシステムのオペレーションをリセットするために、第２の接続にわたって後続のリセットコマンドを送信するために、用いるステップと
を含むことを特徴とする方法が提供される。
【００２４】
エラーデータは、少なくとも１つの作動された表示要素における複数の永続的な検出された誤りに関連する場合があり、前記第１の判断は、永続的な表示誤りが存在するか否かに関する判定を含み、前記第２の判断は、永続的な表示誤りが存在するか否かに関する判定を含む。
【００２５】
そして、前記期間の前記第１の部分にわたって複数の検出された誤りに関連するデータは、第１の判断に用いられてもよく、前記期間の第２の部分にわたって複数の検出された誤りに関連するデータは、第２の判断に用いられてもよい。
【００２６】
表示データは、表示同期信号を含んでもよく、表示障害処理システムは、表示同期信号をグラフィックスシステムから受信し、表示誤りが生じたか否かの判定におけるこの同期信号を用いる。
【００２７】
最初のリセットコマンドはディスプレイモジュールによって受信された際、ディスプレイモジュールの電力を上げる／下げるために作用してもよい。同様に、後続のリセットコマンドはディスプレイモジュールによって受信された際、グラフィックスシステムの電力を上げる／下げるために作用してもよい。
【００２８】
本発明は、単なる例として、および添付の図面を参照して、これからさらに記述される。
【図面の簡単な説明】
【００２９】
【図１】本発明の好適な実施形態によるマトリクスアドレス指定方式ディスプレイシステムの方式構成図であり、ディスプレイモジュール、グラフィックスシステム、および表示誤り検出手段および表示誤り訂正手段を含む表示障害処理システムを示す。
【図２】ディスプレイエラー検出手段の監視機能で使用するためのフィードバック信号を各々が提供する複数のフィードバック回路を備えたマトリクスアドレス指定方式電気光学ディスプレイの一部の簡略図である。
【図３】フィードバック信号の１つが、適切な時間帯に行回路線および列回路線を駆動するために用いられるタイミング同期信号とどのように関連することができるかを示す概略図である。
【図４】本発明の好適な実施形態による、マトリクスアドレス指定方式ディスプレイシステム内のディスプレイモジュールの表示誤りを検出および訂正する方法を示すフローチャートである。
【発明を実施するための形態】
【００３０】
図１は、表示データ４を生成するためのグラフィックスシステム２と、システムのユーザに表示データからの視覚情報を表示するためのディスプレイモジュール６と、ディスプレイモジュールによる表示誤りの検出および訂正のための表示障害処理システム１０とを含む、マトリクスアドレス指定方式ディスプレイシステム１を示す。
【００３１】
グラフィックスシステム２は、グラフィックスユニット８および表示制御システム１２を含み、（衛星航法装置などの）アプリケーションシステムまたはコンピュータホストシステムであってもよい。表示制御システムは、グラフィックスユニット８のオペレーションを制御するために、データおよび命令信号１５を供給する出力１１を有する。グラフィックスユニット８は、データ出力１３を有しており、ディスプレイモジュールは、データ入力１４を有しており、表示データ４は、グラフィックスユニット８によってディスプレイモジュール６に、データ出力１３からデータ入力１４に送信されて供給される。図２に示すように、ディスプレイモジュール６は、ユーザに視覚情報を表示するための赤の表示要素２１、緑の表示要素２２および青の表示要素２３のマトリクスアドレス指定方式電気光学配列１８を含む表示パネル１６を有する。
【００３２】
表示要素２１、２２、２３は、行２４および列２６に配置され、選択的に表示要素の各々を作動するための対応する行回路線２５および列回路線２７を有する。
【００３３】
表示障害処理システム１０は、複数のフィードバック回路３０（そのうちのまさに１つが図２に示される）、表示誤り監視機能３４、表示誤り診断機能３８およびメモリ５７を含む。フィードバック回路３０は、表示配列１８上の回路トレースに組み込まれてもよい。この例で、各行回路線２５は、１つのフィードバック回路３０に接続（３２）しており、エラー監視機能３４に表示誤りフィードバック信号３５を提供する。しかしながら、図示していないが、その代わりにまたはその上、表示要素列からエラー監視機能３４に表示誤りフィードバック信号を提供するために、適切なフィードバック回路３０に複数の列回路線２７を接続することができる。
【００３４】
表示データ４は、一般に少なくとも１つの表示同期信号を含み、その場合には、同期信号は、表示誤りが生じたか否かの判定で表示障害処理システム１０によって用いられてもよい。
【００３５】
この信号は、表示同期信号と同期した周期的なフィードバック信号を生成するために、フィードバック回路３０によって用いられてもよい。
【００３６】
表示誤り監視機能３４は、双方向データリンク３６によって表示誤り診断機能３８に接続される。このエラー監視機能は、誤り診断機能にデータを渡し、この診断機能は、次いで何時表示障害が生じたかを特定するためにデータを分析する。
【００３７】
表示障害処理システム１０は、監視機能によって供給される回復制御出力４０をさらに含む。この回復制御出力は、データバス上に最も好都合に供給され、このデータバスは、グラフィックスユニット８、アプリケーションまたはホストシステム１２、およびディスプレイモジュール６（例えば、１つもしくは複数の電源４２、信号処理および調整回路４４、およびタイミング制御装置４６）のオペレーションに関連した機能ユニットに連結される。障害が監視機能３４および診断機能３８によって検出された場合、監視機能は、これらのコンポーネントの１つもしくは複数のオペレーションをリセットするために、回復制御出力４０上でリセットコマンドを送信することができる。出力がデータバスである場合、リセットコマンドは、リセットされるコンポーネントへの論理的接続によるキャリアである。
【００３８】
この例で、表示データ４は、タイミング情報および表示要素実行データの両方を包含している。したがって、表示データ４は、タイミング制御装置４６と、信号処理および調整回路との両方に供給され、各々のタイミング制御装置４６と、信号処理および調整回路は、マトリックスアドレッシング回路４８にそれぞれの制御出力４５および４７を提供する。マトリックスアドレッシング回路は、行回路線２５および列回路線２７の各１つに接続される出力を個々に有し、その結果、表示要素は、それぞれが、受信される表示データ４に従って適切な程度にかつ適切な時に作動される。
【００３９】
行に沿った１つもしくは複数の表示要素が作動される場合、駆動電圧は、各々の対応する列に対して印加され、同時に、電圧または電流パルスは、選択された要素を作動するために行に対して印加される。多くのディスプレイで、各表示要素の強度は、列駆動電圧のレベルによって制御される。
【００４０】
行駆動信号および列駆動信号は、弱いかもしれないので、これらの信号は、通常、フィードバック回路３０によってバッファされる必要があるであろう。列駆動電圧および行パルス電圧は、多くの種類のディスプレイにとって、両方とも正負信号である。フィードバック回路出力は、立上がり・立下りであるまたは単に正もしくは負であるかもしれない信号を供給してもよいが、いかなる場合にも、１つもしくは複数の作動された表示要素のオペレーションでの誤りを示す各々の行または列の上に存在する信号レベルのいかなる異常も、表示誤り検出手段の監視機能に伝えることができるべきである。
【００４１】
図３は、フィードバック信号の１つが、適切な時間帯に行回路線２５および列回路線２７を駆動するために用いられるタイミング同期信号とどのように関連することができるかを示す概略図である。通常のフレーム同期信号５０は、一連の立下りパルス５４を含み、立下りパルス５４の各々は、表示画面で画像を作成するために、表示行および列がすべてアドレス指定される新たな周期の開始を信号で送る。
【００４２】
行同期信号５２は、一連の立下りパルス５６を含み、ディスプレイの各行の１つおよび一連の立下りパルス５６は、各パルスがディスプレイの１つの行に対する表示要素をリフレッシュするように、フレーム同期信号と同期される。図示されていないのは、行作動パルス５６と各表示要素の作動の程度を決定する列作動信号との間でリフレッシュされる列作動信号である。
【００４３】
行同期パルスは、完全には正方形にならず、各行上で正確に動作する複数の表示要素などの複数の要因に依存した形状を有する。この例で、フィードバック回路３０は、行同期パルスが適用される場合、作動された表示要素の正／誤操作を示す行回路線２５上の少なくとも１つの電気的パラメータを検出する。例は、電圧立上がり時間および電圧立下り時間（パルス幅およびパルス波高）を含む。
【００４４】
そして、要求された電圧信号が行回路線２５上に現われた場合、フィードバック回路３０はそれぞれ、各フレーム同期信号パルス５４の後に単一の立上パルス５８を１回供給する。各行２５が連続して作動されるので、したがって、監視機能３４は、時間内に分割されて、各フィードバック回路３０から一連の当該パルス５８を受信する。異常な操作状態において、１つもしくは複数のフィードバック信号パルス５８は、欠けているまたは歪曲される。
【００４５】
したがって、フィードバック回路３０、監視機能３４および診断機能３８は、表示誤りの検出の間に表示誤り検出手段として機能する。一旦、誤りが検出されたならば、診断機能３８、監視機能３４および回復制御出力４０は、ディスプレイモジュール６に論理的な第１の接続を提供し、グラフィックスシステム２に論理的な第２の接続を提供するデータバス４０上の１つもしくは複数のディスプレイシステムコンポーネントをリセットすることにより、これらの表示誤りを訂正するための表示誤り訂正手段として機能する。
【００４６】
図４は、本発明の方法をより詳細に示す処理のフローチャート６０を示す。その処理は、ブロック６１から始まる。表示誤り検出手段３０、３４、３８は、一定期間にわたって接続されている回路線２５の各々の少なくとも１つの電気的パラメータ３５および５８を監視する。この例で、第１の誤りテスト６２は、フィードバック信号パルス５８の周波数が各テスト間で５００ミリ秒の遅延で３回チェックされる前記期間の第１の部分にわたって実行される。これらの３つのテストの結果はメモリ５７に記憶され、測定された周波数が期待される周波数であるならば、次に、処理は開始６１のポイントに戻る（６３）。
【００４７】
期待される周波数は、所定値であってもよいし、または表示障害システム１０によってグラフィックスシステム２から受信されたタイミング信号５５から代替え的に判定されてもよい。
【００４８】
測定された周波数が期待される周波数６４でないならば、診断機能３８（それは一般にマイクロプロセッサなどの処理手段によって実行される）は、第１の永続的誤りチェック６５を実行する。このチェックは２部構成であり、第１の部分は、これがテストサイクルの初回であるならば、この第１の誤りテスト６２が実行され失敗した（６４）ことをチェックすることである。本システムが自動車両内で実行される場合、テストサイクルは、キーオンとキーオフとの間の期間（すなわち、自動車両ディスプレイシステムがエネルギを与えられる時間帯）として定義される。このチェックは、この失敗６４に特有の初回の誤りフラグをメモリ５７からリコールすることを含み、もし第１の誤りテスト６２が以前に失敗していれば偽になり、これが第１の誤りテスト６２が失敗した最初のときであるならば真になる。初回の誤りフラグは、テストサイクル毎に真にリセットされる。したがって、診断機能３８は、テストサイクルにわたって以前に検出された表示誤りに関連するデータをメモリ５７内に記憶する。
【００４９】
第１の永続的誤りチェック６５の第２の部分は、メモリ５７に記憶された誤りカウンタ値が１０以下であるか否かを調べることである。誤りカウンタ値は、まさにその第１のテストサイクルの開始時に、メモリ５７内に最初０に設定される。表示障害処理システム１０がディスプレイシステム誤りの訂正に失敗した場合、誤りカウンタ値は、常に１が加算され（８０）、このカウント値もテストサイクル間で保存される。誤りカウンタ値は、検出された誤りがない各テストサイクルの間（ゼロの最小値まで）１を減算される。したがって、診断機能３８は、複数のテストサイクルにわたって以前に検出された表示誤りに関連するデータをさらにメモリ５７内に記憶する。
【００５０】
誤りカウンタ値が１０に達する場合、これは、訂正することができない複数のテストサイクルの永続的誤りを示す。このような状況において、どのようなリセットコマンドの送信によっても誤りを訂正することが可能であることは全くありそうもない。
【００５１】
したがって、初回の誤りフラグが偽であることを、または誤り件数が１０以上であることを２部構成の永続的誤りチェック６５が判定すれば、リセットコマンドは、いかなるディスプレイシステムコンポーネントにも送信されない。
【００５２】
しかしながら、両方のテストが合格すれば（６６）、次に表示障害処理システムは、データバス４０上でディスプレイシステム６にリセットコマンド６８を送信することにより、障害を訂正するための第１の試みを行う。このリセット信号は、信号処理／調節ユニット４４またはタイミング制御装置４６に対してなされてもよいが、マトリックスアドレッシング回路４８などの関連回路を含む表示パネル１６に対するのと同様に、信号処理／調節ユニット４４および／またはタイミング制御装置４６に対する電源が一瞬切れられるディスプレイ電源サイクル６８を引き起こす１つもしくは複数の電源４２に対して好適である。このような電源サイクルは、ある種類の電気的な障害またはソフトウェア障害を消去することができ、典型的には達成するために１秒未満を要する。この期間に、表示画面１８は、一瞬空白になってもよいが、多くの場合、自動車両のドライバ（この人は道路に専念して車両を運転する）は、これに気づきさえしないだろう。これに続いて、その処理は、ディスプレイシステムが立ち直る時間を与えるために１秒間待機する（６９）。
【００５３】
一方、テストのいずれかが失敗すれば（６７）、その障害は永続的障害であり、その場合には、ディスプレイモジュールにリセットコマンドを送信することは、恐らくいかなる有益な効果もない。したがって、その処理は、ディスプレイ装置電源サイクル６８をスキップし、次に、１秒間待機する（６９）。
【００５４】
そして、表示誤り検出手段３０、３４、３８は、前記期間の第２の部分にわたって、各テスト間に５００ミリ秒の遅延により、フィードバック信号パルス５８の周波数を再び３回チェックする（７０）。これらの３つのテストの結果はメモリ５７に記憶され、測定された周波数が期待される周波数であるならば、次に、処理は処理の開始に戻る（７１）。この場合には、第１の誤りテスト６２で最初に検出された誤りは、リセットコマンド６８によっても訂正され、または（リセットコマンドがスキップされる場合）、誤りが再現しない（この場合、誤りは永続的ではない）。したがって、処理がこのポイントで開始に戻る（７１）場合、誤りカウンタ８０は加算されない。
【００５５】
測定された周波数が期待される周波数７２でないならば、第１の誤りテスト６２で最初に検出された誤りが第１のリセットコマンド６８によって訂正されていないので、または（この場合、リセットコマンドがスキップされる）誤りが再現したので、永続的誤りがある。したがって、処理が開始に戻る（８１）前に、誤りカウンタ８０には１が加算される。
【００５６】
診断機能３８は、以上に説明されたように一般にマイクロプロセッサなどの処理手段によって実行される、第２の永続的誤りチェック７３をまず実行する。第２の永続的誤りチェック７３は、第１の永続的誤りチェック６５のような同じ形式（２部構成を有し、２部構成のうちの第１は、これがテストサイクルの初回であるならば、第２の誤りテスト７０が実行され失敗した（７２）ことをチェックする）を採用する。本システムが自動車両内で実行される場合、テストサイクルは、キーオンとキーオフとの間の期間（すなわち、自動車両ディスプレイシステムがエネルギを与えられる時間帯）として定義される。このチェックは、この失敗（７２）に特有の初回の誤りフラグをメモリ５７からリコールすることを含み、もし第２の誤りテスト７０が以前に失敗していれば偽になり、これが第２の誤りテスト７０が失敗した最初のときであるならば真になる。初回の誤りフラグは、テストサイクル毎に真にリセットされる。したがって、診断機能３８は、テストサイクルにわたって以前に検出された表示誤りに関連するデータをメモリ５７内に記憶する。
【００５７】
永続的誤りチェック６５の第２の部分は、メモリ５７に記憶された誤りカウンタ値が１０未満であるか否かを調べることである。誤りカウンタ値は、以上に記載されたものと同一である。
【００５８】
誤りカウンタ値が１０に達する場合、これは、訂正することができない複数のテストサイクルの永続的誤りを示す。このような状況において、どのようなリセットコマンドの送信によっても誤りを訂正することが可能であることは全くありそうもない。
【００５９】
したがって、初回の誤りフラグが偽であることを、または誤り件数が１０以上であることを２部構成の永続的誤りチェック７３が判定すれば、リセットコマンドは、いかなるディスプレイシステムコンポーネントにも送信されない。
【００６０】
しかしながら、両方のテストが合格すれば（７４）、次に表示障害処理システムは、データバス４０上でグラフィックスシステム２にリセットコマンド７６を送信することにより、障害を訂正するための第２の試みを行う。このリセット信号は、アプリケーションまたはホストシステム１２に対してなされてもよいが、好ましくはグラフィックスユニット８に対してなされる。この例で、リセットコマンドは、ホストまたはアプリケーションシステム１２ではなく、グラフィックスユニットに対する電源が一瞬切られるグラフィックスユニット電源サイクル７６を引き起こす。このような電源サイクルは、ある種類の電気的な障害またはソフトウェア障害を消去することができ、典型的には達成するために１秒超５秒未満を要する。この期間に、表示画面１８は、フリーズ、または空白になる場合がある。このようなリセットに含まれる時間の長さのために、自動車両のドライバは、ディスプレイモジュール６のリセットよりもこのようなリセットに気づく可能性がある。
【００６１】
状況に応じて、その方法は、以上に記載されたような同じ形式でリセットする第３のステージ（図示せず）を含んでいてもよく、グラフィックスユニット８への第２のリセットコマンドが失敗である場合、ホストまたはアプリケーションシステムは、リセットコマンドを送られる。このようなリセットは、オペレーティングシステムのソフトウェアリセットであってもよく、一般にグラフィックスユニット８のリセットよりも実行するのにより時間がかかる。
【００６２】
処理の終わりに、チェックのいずれかが合格（７４）または失敗（７５）したとしてもしなかったとしても、この段階の障害は、永続的障害であろう。したがって、これに続いて、誤りカウンタは１が加算され（８０）、処理は開始に戻り（８１）、テストサイクルとしてのこのような時間帯が終わるまで、処理が繰り返される。
【００６３】
本発明は、グラフィックスシステムのオペレーションのリセット（それは相対的に遅れる）に優先して、相対的に迅速なディスプレイモジュールのオペレーションをリセットすることを試み、恐らく成功しない残りの試みを避けるように永続的誤りを識別する。したがって、本発明は、ディスプレイシステムコンポーネントのリセットからディスプレイシステムのユーザにいかなる不自由をも最小限にすることを支援する。
【図１】
0005271386.tif 000002
【図３】
0005271386.tif 000003
【図４】
0005271386.tif 000004
【図２】
0005271386.tif 000005